(57)【要約】      （修正有）【課題】被測定物の量の変動や、分析結果の精度低下を抑制する質量分析装置及びその制御方法を提供する。【解決手段】測定試料を入れる試料容器８と、試料の質量を分析して試料に含まれる薬物等を検出する検出器９と、前記試料容器と連結し、大気に放電電流を流して電離させる誘電体容器３と、前記試料容器、誘電体容器、検出器に間欠的に大気を送るためのバルブ２と、前記誘電体容器に放電させるためのバリア放電用高圧電源６と、その放電電流を検出する電流検出部５と、電流検出結果に基づき放電開始タイミングを検出する放電開始タイミング検出部７と、各構成を制御する制御部と、を有する質量分析装置であって、前記電流検出部は前記放電開始タイミング検出部で設定された閾値と比較し、該閾値より超えた場合に放電開始信号を前記制御部に送信し、前記制御部は放電開始信号を受信後一定期間放電を行うよう制御することを特徴とする。【選択図】図１
2015015160.tif 000002
【特許請求の範囲】
【請求項１】
測定試料を入れる試料容器と、
試料の質量を分析して試料に含まれる薬物等を検出する検出器と、
前記試料容器と連結し、大気に放電電流を流して電離させる誘電体容器と、
前記試料容器、前記誘電体容器、前記検出器に間欠的に大気を送るためのバルブと、
前記誘電体容器に放電させるためのバリア放電用高圧電源と、
前記バリア放電用高圧電源と接続し、放電電流を検出する電流検出部と、
前記電流検出部と接続し、電流検出部の電流検出結果に基づき放電開始タイミングを検出して放電開始タイミング信号を送信する放電開始タイミング検出部と、
各構成を制御する制御部と、を有する質量分析装置であって、
前記電流検出部は検出した電流を電圧に変換し、変換された電圧を前記放電開始タイミング検出部で設定された閾値と比較し、該閾値より超えた場合に放電開始信号を前記制御部に送信し、前記制御部は放電開始信号を受信後一定期間放電を行うよう制御することを特徴とする質量分析装置。
【請求項２】
請求項１に記載の質量分析装置であって、
前記電流検出部で電流が検出されない場合は、前記バリア放電用高圧電源の出力電圧を増加するよう制御部で制御することを特徴とする質量分析装置。
【請求項３】
測定試料を入れる試料容器と、
試料の質量を分析して試料に含まれる薬物等を検出する検出器と、
前記試料容器と連結し、大気に放電電流を流して電離させる誘電体容器と、
前記試料容器、前記誘電体容器、前記検出器に間欠的に大気を送るためのバルブと、
前記誘電体容器に放電させるためのバリア放電用高圧電源と、
誘電体容器や検出器の圧力を検出して圧力検出信号を出力する圧力検出部、
各構成を制御する制御部と、を有する質量分析装置であって、
前記圧力検出部で検出した圧力値に基づき、あらかじめ前記制御部に設定された圧力基準値を超えた場合に、前記制御部で前記バリア放電用高圧電源を制御して一定期間放電を行うよう制御することを特徴とする質量分析装置。
【請求項４】
バリア放電を用いた質量分析装置の制御方法であって、
高圧電源で行うバリア放電の放電電流を検出し、
検出した放電電流値を電圧値に変換し、
変換した電圧値を閾値と比較し、
電圧値が該閾値を超える場合に一定期間放電を行うことを特徴とする質量分析装置の制御方法。
【請求項５】
請求項４に記載の質量分析装置の制御方法であって、
バリア放電電流が検出されない場合は、前記高圧電源の出力電圧を増加することを特徴とする質量分析装置の制御方法。
【請求項６】
バリア放電を用いた質量分析装置の制御方法であって、
内部で高圧電源によるバリア放電を行う誘電体容器や、試料の質量を分析して試料に含まれる薬物等を検出する検出器内の圧力を検出し、検出した圧力値があらかじめ設定された圧力基準値を超えた場合に、高圧電源を制御して一定期間放電を行うことを特徴とする質量分析装置の制御方法。
【発明の詳細な説明】
【技術分野】
【０００１】
本発明は、質量分析装置及び質量分析装置の制御方法に関する。
【背景技術】
【０００２】
試料中に含まれる微量物質の成分を迅速に判定する装置として小型軽量の質量分析装置(MＳと表記されることも多い)が必要となってきている。特に違法薬物や爆発物の探知装置としての市場が拡大している。質量分析装置は、分析対象である試料中の分子をイオン化し、電場、磁場を利用して質量分離して分離されたイオンを検出器で検出するものである。
【０００３】
試料中の分子をイオン化する方式としては、ＡＰＣＩ(AtmoＳpheric PreＳＳure Chemical Ionization Ｓource:大気圧化学イオン化法)、電子衝撃イオン化法、グロー放電などが実用化されているが、イオン化効率が低い、フラグメンテーションが発生するなど、不十分な点も多く、これらに対応するため高精度の調整が必要で装置が大型化し易い。これに対してイオン化効率やフラグメンテーションの面で優位な比較的新しい方法として、大気圧誘電体バリア放電方式が近年検討され始めている。このバリア放電は、試料を導入した大気圧に近い気圧の放電部に誘電体バリアを介してパルス状あるいは正弦波状の高電圧を印加して放電電流を流し、試料中の分子をイオン化するものである。
【０００４】
イオン化部にバリア放電を用いた質量分析装置として、特許文献１（特開２０１２−１０４２４７号公報）、特許文献２（ＰＣＴ／ＵＳ２００８／０６５２４５）、特許文献３（ＰＣＴ／ＪＰ２００９／０６０６５３）に記載の技術がある。
【０００５】
特許文献１は、小型軽量で、高精度な質量分析が可能な質量分析装置を提供するものであり、測定試料をイオン化するために外部から流入するガスをイオン化するイオン源と、イオン化した測定試料を分離する質量分析部とを有し、イオン源にはバリア放電を用いている。特許文献１は、イオン源が取り込むガスの流量を抑制する抑制手段と、イオン源が取り込むガスの流れを開閉する開閉手段とを有して、外部から導入するガスをイオン化部に間欠的に流入させ、１００Pa〜１００００Paの大気圧より低い圧力下で、バリア放電部も間欠的に動作させることで高効率化と小型化を図っている。
【０００６】
特許文献２は、質量分析装置において試料をバリア放電により大気圧下でイオン化し、イオン化した試料を不連続的に質量分析部に導入することで高効率化を得る方式について記載している。
【０００７】
特許文献３は、バリア放電部の電極構造に工夫することで、試料のイオン化効率を向上する方式について記載している。
【０００８】
バリア放電に関する例ではないが、放電部の安定化手法として、放電電流を検出する装置に関して、特許文献４（特開２０１１−２３２０７１号公報）、特許文献５（特開２００８−５３０２０号公報）に開示される装置がある。
【０００９】
特許文献４は、放電部の放電電流を検出して、放電電流が流れている期間だけ装置内のイオン化電流を積分することで、Ｓ／Ｎの高いイオン化電流検出を行うものである。
【００１０】
特許文献５は、質量分析装置において、ＡＰＣＩ(大気圧化学イオン化法)によるイオン化を安定させ、ノイズレベルを低減するために、放電電極に流れる電流を検出し、所定の電流になるように印加電圧を制御することで、低雑音化を図る方式について記載している。
【先行技術文献】
【特許文献】
【００１１】
【特許文献１】特開２０１２−１０４２４７号公報
【特許文献２】ＰＣＴ／ＵＳ２００８／０６５２４５
【特許文献３】ＰＣＴ／ＪＰ２００９／０６０６５３
【特許文献４】特開２０１１−２３２０７１号公報
【特許文献５】特開２００８−５３０２０号公報
【発明の概要】
【発明が解決しようとする課題】
【００１２】
バリア放電は、周囲環境によって、放電開始時の印加高圧電圧のばらつきや、高圧電圧印加開始から放電スタートするまでの時間にばらつきが発生することが実験によって明らかになってきている。
【００１３】
先行技術文献では、イオン化部の圧力低下、イオン源の間欠動作、イオン源の電極構造最適化などによりイオン化効率を向上させたり、放電電流を検出して、所定の放電電流になるように印加電圧を制御したり、放電電流が流れている期間だけイオン化電流を計測して計測値のＳ/Ｎを向上する等を実施しているが、放電開始電圧のばらつきや放電開始時間のばらつきには着目していない。
【００１４】
また、イオン源を間欠動作させる質量分析装置では、間欠的に複数回、低圧の大気に高電圧を印加してバリア放電を起こすことで大気を電離し、この電離体により被測定物をイオン化しで質量分析を行う。複数回印加する高電圧のそれぞれの印加期間は一定としているため、上記で説明したように、高圧電圧印加開始から放電スタートするまでの時間にばらつきが発生すると、各期間によってバリア放電が行われている期間にばらつきが発生し、イオン化される被測定物の量に変動が生じ、質量分析結果の精度が低下するなどの課題がある。
【００１５】
そこで、本発明は、イオン化される被測定物の量の変動や、質量分析結果の精度低下を抑制する質量分析装置及び質量分析装置の制御方法を提供することを目的とする。
【課題を解決するための手段】
【００１６】
上記課題を解決するために、例えば特許請求の範囲に記載の構成を採用する。
【００１７】
本願は上記課題を解決する手段を複数含んでいるが、その一例を挙げるならば、測定試料を入れる試料容器と、試料の質量を分析して試料に含まれる薬物等を検出する検出器と、前記試料容器と連結し、大気に放電電流を流して電離させる誘電体容器と、前記試料容器、前記誘電体容器、前記検出器に間欠的に大気を送るためのバルブと、前記誘電体容器に放電させるためのバリア放電用高圧電源と、前記バリア放電用高圧電源と接続し、放電電流を検出する電流検出部と、前記電流検出部と接続し、電流検出部の電流検出結果に基づき放電開始タイミングを検出して放電開始タイミング信号を送信する放電開始タイミング検出部と、各構成を制御する制御部と、を有する質量分析装置であって、前記電流検出部は検出した電流を電圧に変換し、変換された電圧を前記放電開始タイミング検出部で設定された閾値と比較し、該閾値より超えた場合に放電開始信号を前記制御部に送信し、前記制御部は放電開始信号を受信後一定期間放電を行うよう制御することを特徴とする。
【発明の効果】
【００１８】
本発明では、イオン化される被測定物の量の変動や、質量分析結果の精度低下を抑制する質量分析装置及び質量分析装置の制御方法を提供することができる。
【図面の簡単な説明】
【００１９】
【図１】第１の実施例にかかる質量分析装置の構成図の例である。
【図２】第１の実施例にかかる質量分析装置の分析処理フローの例である。
【図３】第１の実施例で用いる制御回路の例である。
【図４】第１の実施例で用いる電流検出部の例である。
【図５】第１の実施例のタイミングチャートの例である。
【図６】第２の実施例にかかる質量分析装置の構成図の例である。
【図７】第２の実施例にかかる質量分析装置の分析処理フローの例である。
【図８】第３の実施例にかかる質量分析装置の構成図の例である。
【図９】第３の実施例にかかる質量分析装置の分析処理フローの例である。
【図１０】第３の実施例のタイミングチャートの例である。
【発明を実施するための形態】
【００２０】
以下、実施例を図面を用いて説明する。
【実施例１】
【００２１】
本実施例では、放電電流検出を用いて放電開始タイミングを検出し、このタイミングを利用して高圧電圧出力を制御する構成と制御方法について示す。
【００２２】
図１に本発明質量分析装置のブロック図を示す。質量分析装置は、大気を導入するキャピラリ１、間欠的に大気を放電部に送るための開閉手段であるバルブ２、導入された大気に放電電流２８を流して電離(反応イオン生成)する誘電体容器３、誘電体容器３に放電させるためのバリア放電用高圧電源６、高圧電源を印加する電極４、電極４’、放電電流２８を検出する電流検出部５、電流検出結果から放電開始タイミングを検出して放電開始タイミング信号１７を制御部の制御回路１１に供給する放電開始タイミング検出部７、測定試料を入れる試料容器８、試料の質量を分析して試料に含まれる薬物等を検出する検出器９、誘電体容器３や検出器９の圧力を検出する圧力検出部１０、誘電体容器３や検出器９を低圧にする真空ポンプ１４、各ブロックを制御する制御回路１１より構成される。
【００２３】
図２に本発明の質量分析装置の質量分析フローを示し、本フローを用いて質量分析動作を説明する。
【００２４】
シーケンス１(Ｓ１)で質量分析を開始する。シーケンス２(Ｓ２)で、バルブ２を閉じた状態とする。シーケンス３(Ｓ３)で真空ポンプ１４により誘電体容器３と検出器９内の気体を排気して低圧とする(例えば誘電体容器３内は１００Ｐａ、検出器９内は０.１Ｐａなど)。シーケンス４(Ｓ４)でバルブ２が開くことによりキャピラリ１を介して大気が誘電体容器３に導入される。
【００２５】
大気導入後、一定時間経過して誘電体容器３内が低圧の大気(例えば１０００Ｐａなど)に満たされた後、シーケンス５(Ｓ５)でバリア放電用高圧電源６からパルス状の高圧電圧を電極４、電極４’に印加し、誘電体容器内でバリア放電を行うことで、導入された低圧の大気を電離(反応イオン生成)する。
【００２６】
バリア放電の終了後、シーケンス６(Ｓ６)でバルブ２は閉じられる。反応イオンを含む大気は、試料容器８に導入され、内部の試料１２をイオン化する。シーケンス７(Ｓ７)でイオン化された試料１２は検出器９に導入され、検出器９内にトラップ、蓄積される。同時に真空ポンプ１４で排気が開始され、不要な大気は排出されて誘電体容器３と検出器９は再び低圧となる。
【００２７】
次にシーケンス８(Ｓ８)で検出器９内にトラップ、蓄積されたイオン化状態の試料１２は、検出器９内で処理され、試料１２に含まれる薬物等を検出する。質量検出動作を継続する場合は、シーケンス４(Ｓ４)に戻って、上記したシーケンスを繰り返し、制御回路１１で定められた繰り返し回数であるｎ回を終了したら、シーケンス９(Ｓ９)で質量分析を終了する。
【００２８】
なお、質量分析結果はｎ回繰り返した結果を平均して検出結果としても良いし、最も感度の高い結果を検出結果としても良いし、n回の内のいくつかの測定結果だけを用いて検出結果としても良い。
【００２９】
上記が質量分析の全体的なフローであるが、ここで、本実施例にかかる詳細なシーケンスについて説明する。シーケンス５(Ｓ５)でバリア放電用高圧電源６からパルス状の高圧電圧を電極４、電極４’に印加し、誘電体容器内でバリア放電を行う期間に、シーケンス５１(Ｓ５１)でバリア放電用高圧電源６から電極に印加される高圧電圧に伴い流れる放電電流２８を電流検出部５で検出し、シーケンス５２(Ｓ５２)での検出結果から、放電開始タイミング検出部７で高圧電圧を印加した期間のどのタイミングで放電したかを検出し、シーケンス５３(Ｓ５３)で制御回路１１において、放電開始タイミングから一定期間、バリア放電用高圧電源６から高圧電圧を出力するよう制御して電極４に印加することで、放電期間が一定となるように制御する。
【００３０】
以上のように、シーケンス４(Ｓ４)からシーケンス８(Ｓ８)の繰り返し質量検出動作において、シーケンス５(Ｓ５)のバリア放電期間を一定期間とするように制御することで、n回の繰り返し動作のいずれの動作時においてもイオン化される被測定物の量が一定となり、質量分析結果の精度が向上する効果がある。
【００３１】
図３にシーケンス５３(Ｓ５３)での放電期間を一定とするための制御回路１１の構成例を示す。放電開始タイミング検出部７から、放電開始タイミング信号１７をカウンタ１５に入力する。カウンタ１５では、放電開始タイミング信号１７が入力されてから一定期間基準クロック１８のカウントを行い、カウント数が一定数になるまで、高圧電源制御部１６から、バリア放電用高圧電源６が高圧電圧２３を出力するよう制御信号として放電期間パルス２５を印加するものである。本実施例では、カウンタを用いる簡単な回路構成で放電期間を一定にする制御が可能となる。
【００３２】
図４に電流検出部５の実施例を示す。バリア放電用高圧電源６から高圧ケーブル１９を介して電極４、４’に電圧を印加する構成である。電流誘起用のコイル２２を巻いたトロイダルコア２０の中に高圧ケーブル１９を通し、コイル２２は積分抵抗２１で終端して、高圧ケーブル１９に放電電流２８が流れることによりコイル２２に誘起された放電検出電流２４を電圧に変換し、電圧を放電開始タイミング検出部７に入力して放電開始タイミングを検出する。
【００３３】
本構成において、放電が行われた場合、高圧ケーブル１９に放電電流２８が流れることから、コイル２２に誘導電流が誘起され、この誘導電流を積分抵抗で誘導電圧に変換して、電圧があらかじめ定めた閾値を超えた場合、放電開始タイミング検出部７において放電が開始したと判断してタイミングパルスを制御回路１１のカウンタ１５へ出力する。本構成によれば、コイルに誘起される誘導電流を用いて放電電流を検出するため、雑音に強く安定な放電電流検出が可能である。
【００３４】
図５に、放電タイミングチャート例を示す。放電タイミングチャート（ａ）は、放電開始タイミングを検出しない従来の構成でのタイミングチャートであり、図２の質量分析フローで、Ｓ４〜Ｓ８のシーケンスを４回実施しており、バルブ２が開のタイミングで高圧電圧２３を印加し、高圧電圧２３を印加開始後、それぞれのシーケンスにおいてＴ１、Ｔ２、Ｔ３、Ｔ４の異なったタイミングで放電電流２８が流れている例である。
【００３５】
高圧電圧２３を印加する期間は各シーケンスで同一期間であるため、結果的に放電期間がτ１、τ２、τ３、τ４と異なった期間となっている。
【００３６】
これに対し、放電タイミングチャート（ｂ）は、放電開始タイミングを検出する本発明の構成でのタイミングチャートである。図２の質量分析フローで、Ｓ４〜Ｓ８のシーケンスを３回実施しており、バルブ２が開のタイミングで高圧電圧２３を印加し、高圧電圧２３を印加開始後、それぞれのシーケンスにおいてＴ１、Ｔ２、Ｔ３の異なったタイミングで放電電流２８が流れ始めている例である。放電検出電流２４から放電開始タイミング１７を検出して放電期間パルス２５がτ１の一定値となるように制御し、これにあわせてバルブ２の開時間と高圧電圧２３の印加時間を最適化しているため、放電電流２８の期間も一定となる。放電タイミングチャート(b)の例では、放電電流２８が流れる時間がどのシーケンスでも一定となるため、安定な試料のイオン化特性が得られ、この結果、安定な質量分析結果が得られる。
【実施例２】
【００３７】
本実施例では、誘電体容器３内や検出器９の圧力検出結果を用いて放電開始タイミングを推定し、このタイミングを利用して高圧電圧出力を制御する構成と制御方法について示す。
【００３８】
図６に本発明質量分析装置のブロック図を示す。質量分析装置は、大気を導入するキャピラリ１、間欠的に大気を放電部に送るための開閉手段であるバルブ２、導入された大気に放電電流を流して電離(反応イオン生成)する誘電体容器３、誘電体容器３に放電させるためのバリア放電用高圧電源６、高圧電源を印加する電極４、電極４’、放電電流２８を検出する電流検出部５、電流検出結果から放電開始タイミングを検出する放電開始タイミング検出部７、測定試料を入れる試料容器８、試料の質量を分析して試料に含まれる薬物等を検出する検出器９、誘電体容器３や検出器９の圧力を検出して圧力検出信号２７を制御部の制御回路１１に供給する圧力検出部１０、誘電体容器や検出器を低圧にする真空ポンプ１４、各ブロックを制御する制御回路１１より構成される。
【００３９】
図７に本発明質量分析装置の質量分析フローを示し、本フローを用いて質量分析動作を説明する。なお、シーケンスＳ１からＳ９までの全体的なフローは実施例１と同様であるため、説明を省略する。ここでは、本実施例にかかる詳細なシーケンスについて説明する。
【００４０】
シーケンス５(Ｓ５)でバリア放電用高圧電源６からパルス状の高圧電圧を電極４、電極４’に印加し、誘電体容器内でバリア放電を行う期間に、シーケンス５０１(Ｓ５０１)で、圧力検出器１０で検出器９と誘電体容器３の圧力を検出し、シーケンス５０２(Ｓ５０２)で、圧力検出器１０の圧力検出結果から高圧電圧を印加した期間のどのタイミングで放電したかを推定する。放電タイミングの推定方法としては、圧力検出器１０の圧力検出値が、あらかじめ制御回路１１に設定してある圧力基準値を超えた時に放電開始したと判断し、その時点を放電開始タイミングとする。
【００４１】
シーケンス５０３(Ｓ５０３)では、この推定結果をもとに制御回路１１において、推定放電開始タイミングから一定期間、バリア放電用高圧電源６から高圧電圧を出力して電極４に印加することで、放電期間が一定となるように制御する。
【００４２】
以上のように、シーケンス４(Ｓ４)からシーケンス８(Ｓ８)の繰り返し質量検出動作において、シーケンス５(Ｓ５)のバリア放電期間を一定期間とするように制御することで、n回の繰り返し動作のいずれの動作時においてもイオン化される被測定物の量が一定となり、質量分析結果の精度が向上する効果がある。
【実施例３】
【００４３】
本実施例では、放電電流検出を用いて放電電流が流れたか否かを検出し、流れなかった場合に高圧電圧出力を制御する構成と制御方法について示す。
【００４４】
まず、図８に本実施例における質量分析装置のブロック図を示すが、実施例１の図１で説明したものと同様であるため、説明を省略する。
【００４５】
図９に本実施例にかかる質量分析装置の質量分析フローを示し、本フローを用いて質量分析動作を説明する。なお、シーケンスＳ１からＳ９までの全体的なフローは実施例１と同様であるため、説明を省略する。ここでは、本実施例にかかる詳細なシーケンスについて説明する。
【００４６】
シーケンス５(Ｓ５)でバリア放電用高圧電源６からパルス状の高圧電圧を電極４、電極４’に印加し、誘電体容器３内でバリア放電を行う期間に、シーケンス１００(Ｓ１００)でバリア放電用高圧電源６から電極に印加される高圧電圧に伴い流れる放電電流２８を電流検出部５で検出し、検出結果から放電開始タイミング検出部７で高圧電圧を印加した期間のどのタイミングで放電したかを検出する。
【００４７】
このとき、放電開始タイミング検出部７で放電が検出されなければ、シーケンス１０１(Ｓ１０１)で放電電圧を増加するように制御回路１１に放電電圧検出信号２８をフィードバックする。放電開始タイミング検出部７で放電が検出されれば、放電電圧を変えないように制御回路１１に放電電圧検出信号２８をフィードバックする。
【００４８】
以上のように、シーケンス４(Ｓ４)からシーケンス８(Ｓ８)の繰り返し質量検出動作において、放電電流が流れたか否かを検出し、流れない場合は、次のフローにおいて印加高圧電圧を増加するように制御することで、n回の繰り返し動作のいくつかの動作時においてイオン化される被測定物の量が安定化され、質量分析結果の精度が向上する効果がある。
【００４９】
図１０に、タイミングチャート例を示す。放電タイミングチャート(a)は、放電開始タイミングを検出しない従来の構成でのタイミングチャートであり、図９の質量分析フローで、Ｓ４〜Ｓ８のシーケンスを４回実施しており、バルブ２が開のタイミングで高圧電圧２３を印加し、高圧電圧２３を印加開始後、それぞれのシーケンスにおいて放電が開始されない例である。
【００５０】
これに対し、放電タイミングチャート(b)は、放電開始タイミングを検出する本実施例にかかる本発明の構成でのタイミングチャートである。図９の質量分析フローで、Ｓ４〜Ｓ８のシーケンスを４回実施しており、バルブ２が開のタイミングで高圧電圧２３を印加し、高圧電圧２３を印加開始後、放電開始タイミングが検出されない場合は次のフローにおいて高圧電圧２３の電圧を上げる。一方、放電開始タイミングが検出された場合は、次のフローでの高圧電圧２３は同じ電圧値を印加する。放電タイミングチャート(b)の例では、放電するように高圧電圧を制御するため、安定な試料のイオン化特性が得られ、この結果、安定な質量分析結果が得られる。
【符号の説明】
【００５１】
２  バルブ
５  電流検出部
６  バリア放電用高圧電源
７  放電開始タイミング検出部
９  検出器
１０  圧力検出器
１１  制御回路
１４  真空ポンプ
１７  放電開始タイミング信号
２４  放電検出電流
２７  圧力検出信号
２８  放電電流
【図１】
2015015160.tif 000003
【図２】
2015015160.tif 000004
【図３】
2015015160.tif 000005
【図４】
2015015160.tif 000006
【図５】
2015015160.tif 000007
【図６】
2015015160.tif 000008
【図７】
2015015160.tif 000009
【図８】
2015015160.tif 000010
【図９】
2015015160.tif 000011
【図１０】
2015015160.tif 000012